(57)【要約】【課題】これまでになく幻想的でユニークな背景画像を有するプリントシールを発行することが可能であると共に、新たな背景パターンの採用も容易なプリントシール自動販売機を提供する。【解決手段】本発明の第１の形態においては、画像編成回路（３７）が、撮影された画像中の予め定められた閾値以上の輝度レベルにある画素が所定数範囲で密集している高輝度画素群を認識し、その高輝度画素群についてはこれを予め定めた小画像に変換した上で、上記画像をディスプレイ装置（３３）に表示させると共に、シールプリンタ（３５）によりシール用紙にプリントさせる手段を備えたこと、を特徴とする。【選択図】  図２
2005012464.tif 000002
【特許請求の範囲】
【請求項１】
撮影した画像を電子データとして記録し、出力し得るカメラ（３１，３２）と、
ディスプレイ装置（３３）と、
使用者により操作される入力装置（３３１，３４）と、
指定された画像をシール用紙にプリントするシールプリンタ（３５）と、
上記カメラ（３１，３２）により撮影され記録された電子データをカメラから読み出し、記録し、加工して、所望の画像データ信号を編成し、これをディスプレイ装置に出力して所望の画像を表示させると共に、上記シールプリンタ（３５）に当該所望の画像をプリントさせる画像編成回路（３７）と、
を備えたプリントシール自動販売機において；
上記画像編成回路（３７）が、撮影された画像中の予め定められた閾値以上の輝度レベルにある画素が所定数範囲で密集している高輝度画素群を認識し、その高輝度画素群についてはこれを予め定めた小画像に変換した上で、上記画像をディスプレイ装置（３３）に表示させると共に、シールプリンタ（３５）によりシール用紙にプリントさせる手段を備えたこと；
を特徴とする上記のプリントシール自動販売機。
【請求項２】
小画像がクロスライトである請求項１に記載のプリントシール自動販売機。
【請求項３】
小画像が花模様である請求項１に記載のプリントシール自動販売機。
【請求項４】
小画像が雪の結晶状模様である請求項１に記載のプリントシール自動販売機。
【請求項５】
撮影した画像を電子データとして記録し、出力し得るカメラ（３１，３２）と、
ディスプレイ装置（３３）と、
使用者により操作される入力装置（３３１，３４）と、
指定された画像をシール用紙にプリントするシールプリンタ（３５）と、
上記カメラ（３１，３２）により撮影され記録された電子データをカメラから読み出し、記録し、加工して、所望の画像データ信号を編成し、これをディスプレイ装置に出力して所望の画像を表示させると共に、上記シールプリンタ（３５）に当該所望の画像をプリントさせる画像編成回路（３７）と、
を備えたプリントシール自動販売機において；
上記画像編成回路（３７）が、
撮影された画像をクロマキーにより人物画像と背景画像を分離する手段と、
背景画像を予め定めた演出効果画像に変換する手段と、
上記演出効果画像からなる背景画像と、上記クロマキーにより分離された人物画像とを重畳合成して、ディスプレイ装置（３３）に表示させると共に、シールプリンタ（３５）によりシール用紙にプリントさせる手段と、を備えたこと；
を特徴とする上記のプリントシール自動販売機。
【請求項６】
演出効果画像が画面中の一点から放射するラジアルライト画像である請求項５に記載のプリントシール自動販売機。
【請求項７】
演出効果画像が渦巻状のサイクロンライト画像である請求項５に記載のプリントシール自動販売機。
【請求項８】
演出効果画像が一方向に流れるストリームライト画像である請求項５に記載のプリントシール自動販売機。
【請求項９】
演出効果画像がシャワー状のオーロラライト画像である請求項５に記載のプリントシール自動販売機。
【請求項１０】
上記画像編成回路（３７）が、少なくとも人物画像にソフトフォーカス処理を施す手段を備えた、請求項１乃至９のいずれか一に記載のプリントシール自動販売機。
【発明の詳細な説明】
【０００１】
【発明の属する技術分野】
本発明は、プリントシール自動販売機に関し、特に、多種多様な背景画像を簡便な手段で形成し、シール用紙にプリントして客に提供し得るプリントシール自動販売機に関する。
【０００２】
【従来の技術】
ハウジング内に入った１人又は複数の客を、客の好みのポーズで撮影し、その画像を客の希望する背景画像や文字等と合成してシール用紙に複数駒プリントして発行するシール自動販売機は、遊技場、デパート、イベント会場等に設置され、遊び感覚でスナップ写真を撮るという目的で広く楽しまれている。通常は、同じ画像が同時に複数枚並べてプリントアウトされるので、それらを仲間で分けあい、各人がストックブックに貼り付けて保存し、コレクションにすることも楽しみの一つとされている。
【０００３】
しかしながら、通常、被写体は自分及び親しい友人や家族であり、撮影場所はシール自動販売機のハウジング内に限られているため、いつも似たような写真ばかりが撮影される結果となり、新鮮さや面白みに欠けるという問題があった。
これを解決するため、被写体の背後に、世界各地の名所の風景写真や有名タレントの写真等を客の好みに合わせて種々交換可能なように配置して、それらの画像と共に客が撮影されるようにするなどの工夫が行われてきたが、それも次第に飽きられてきた。
また、カメラに各種フィルタを装着して、撮影される画像に特殊な視覚的効果を与えるように構成したものも提案されているが、客の好みに合わせるためには多種類のフィルタを用意し、これを自動的にカメラの前面に交換可能なように装着する必要があるため、メカニズム上複雑となり、コスト的にも割高となるという問題があった。また、新たな画像パターンを取り入れるためには、新たなフィルタを追加等する必要があり、その作業が面倒であった。
【０００４】
【発明が解決しようとする課題】
本発明は、上記の問題点を解決するためになされたものであり、その目的とするところは、これまでになく幻想的でユニークな背景画像を有するプリントシールを発行することが可能であると共に、新たな背景パターンの採用も容易なプリントシール自動販売機を提供することにある。
【０００５】
【課題を解決するための手段】
本発明の上記の目的は、
撮影した画像を電子データとして記録し、出力し得るカメラと、
ディスプレイ装置と、
使用者により操作される入力装置と、
指定された画像をシール用紙にプリントするシールプリンタと、
上記カメラにより撮影され記録された電子データをカメラから読み出し、記録し、加工して、所望の画像データ信号を編成し、これをディスプレイ装置に出力して所望の画像を表示させると共に、上記シールプリンタに当該所望の画像をプリントさせる画像編成回路と、
を備えたプリントシール自動販売機において；
上記画像編成回路が、撮影された画像中の予め定められた閾値以上の輝度レベルにある画素が所定数範囲で密集している高輝度画素群を認識し、その高輝度画素群についてはこれを予め定めた小画像に変換した上で、上記画像をディスプレイ装置に表示させると共に、シールプリンタによりシール用紙にプリントさせる手段を備えたこと；
を特徴とする上記のプリントシール自動販売機によって達成できる。
【０００６】
上記小画像としては、例えば、十文字形等のクロスライトや、花模様、雪の結晶状模様、ハート形、等々が好適に採用できる。
なお、上記画像編成回路が、少なくとも人物画像にソフトフォーカス処理を施す手段を備えていることが望ましい。
【０００７】
更にまた、本発明の上記の目的は、
撮影した画像を電子データとして記録し、出力し得るカメラと、
ディスプレイ装置と、
使用者により操作される入力装置と、
指定された画像をシール用紙にプリントするシールプリンタと、
上記カメラにより撮影され記録された電子データをカメラから読み出し、記録し、加工して、所望の画像データ信号を編成し、これをディスプレイ装置に出力して所望の画像を表示させると共に、上記シールプリンタに当該所望の画像をプリントさせる画像編成回路と、
を備えたプリントシール自動販売機において；
上記画像編成回路が、
撮影された画像をクロマキーにより人物画像と背景画像を分離する手段と、
背景画像を予め定めた演出効果画像に変換する手段と、
上記演出効果画像からなる背景画像と、上記クロマキーにより分離された人物画像とを重畳合成して、ディスプレイ装置に表示させると共に、シールプリンタによりシール用紙にプリントさせる手段と、を備えたこと；
を特徴とする上記のプリントシール自動販売機によっても達成できる。
【０００８】
上記演出効果画像としては、画面中の一点から放射するラジアルライト画像や、渦巻状のサイクロンライト画像、一方向に流れるストリームライト画像、シャワー状のオーロラライト画像、等々が好適に採用できる。
なお、この場合においても、上記画像編成回路が、少なくとも人物画像にソフトフォーカス処理を施す手段を備えていることが望ましい。
【０００９】
【発明の実施の形態】
以下、図面を参照しつゝ本発明を具体的に説明する。
図１は、本発明に係るプリントシール自動販売機の一実施例の説明図、図２は、図１に示したプリントシール自動販売機の回路構成を示すブロック図、図３は、撮影した画像に本発明による加工処理を施した上で、シール用紙にプリントアウトした画像の一例を示す説明図、図４は、撮影した画像に本発明により更に別種の加工処理を施した上で、シール用紙にプリントアウトした画像の一例を示す説明図である。
【００１０】
図１中、１はハウジング、１ａはカーテンで仕切られる出入口、２は１人又は数人の使用者（客）が入る被写体スペース、３はシール作成販売機、３１は正面カメラ、３２は上部カメラ、３３はタッチパネル式ディスプレイ装置、３３１はタッチパネル式の撮影用操作部、３４はタッチペン、３５１はシールプリンタ３５（図２参照）のプリントシール発行口、３６は料金徴収装置、４ａ及び４ｂは室内照明用の蛍光灯である。
タッチパネル式の撮影用操作部３３１とタッチペン３４が、使用者により操作される入力装置に該当する。
また、図２中、３１，３２は前記カメラ、３３はタッチパネル式ディスプレイ装置、３３１はタッチパネル式の撮影用操作部、３４はタッチペン、３５はシールプリンタ、３６は料金徴収装置、３７は画像編成回路、３８１はサウンド回路、３８２はスピーカであり、また、画像編成回路３７中において、３７１は演算装置（ＣＰＵ）、３７２はクロック回路、３７３はＲＯＭ、３７４はＲＡＭ、３７５は画像処理回路、３７６及び３７７はカメラ制御回路、３７８はデータバスである。
【００１１】
ハウジング１内は、シール作成販売機３の上段左右に設けた蛍光灯４ａ及び下段左右に設けた蛍光灯４ｂと、その他必要に応じて設けられる照明ランプによって常時照明されるようになっている。
ハウジング１の出入口１ａから被写体スペース２に入った使用者は、料金徴収装置３６に所定の料金を投入し、シール作成販売機３のタッチパネル式ディスプレイ装置３３の一部に設けたタッチパネル式のボタンを配列した撮影用操作部３３１を操作して、ディスプレイ装置３３上に表示される様々な背景画像の中から希望する背景画像を選択する。次いで、正面カメラ３１又は上部カメラ３２のいずれで撮影を行なうかを選択した上で、操作部３３１の撮影ボタンを押すと、セルフタイマー形式で数秒後に撮影が行なわれるので、その数秒の間に選択したカメラに向かってポーズを決めるようにする。
【００１２】
撮影時には、正面の上段の蛍光灯４ａよりも奥側、及び下段の蛍光灯４ｂよりも奥側にそれぞれ設けたストロボライト（図では省略）が、カメラと同期して同時に発光するようになっている。
１回の撮影が終わると、タッチパネル式ディスプレイ装置３３上に、撮影した人物像を含む映像が表示されるので、使用者はその上にタッチペン３４を用いて自筆の文字、図案等を記入する。
通常のプリントシール自動販売機においては、１回の料金投入で６〜１０回の撮影ができるようになっているので、以下同様の操作を繰り返し、背景画像やポーズの異なった写真を６〜１０種類撮影する。
【００１３】
すべての撮影が終了すると、シール作成販売機３内で画像処理とプリントが行なわれ、最後の撮影から数十秒後に、予め選択した背景画像と、撮影した人物像と、自筆の書込みとの合成画像がプリントされた小さなシールが台紙に複数枚貼り付いた状態で、プリントシール発行口３５１から排出される。
【００１４】
而して、本発明に係るプリントシール自動販売機は、撮影された画像をベースとして、その背景画像に、これまでにない幻想的でユニークなパターンを表し、これをプリントして発行できるようになっている。
即ち、本発明の第１の形態のものにおいては、上記画像編成回路３７が、撮影された画像中の予め定められた閾値以上の輝度レベルにある画素が所定数範囲で密集している高輝度画素群を認識し、その高輝度画素群についてはこれを予め定めた小画像に変換した上で、上記画像をディスプレイ装置３３に表示させると共に、シールプリンタ３５によりシール用紙にプリントさせるように構成されている。
例えば、カメラ３１が内蔵するＣＣＤの総画素数（カメラ３１によって撮影された画像の画素数）が４００万画素であるとした場合、これを縦方向２００×横方向２００＝４００００個の区画に分割（従って、各区画内の画素数は１００個）する。この各区画内の１００画素のうちに、予め定められた閾値以上の輝度レベルの画素が例えば６０個以上かつ８０個以下存在する場合には、その高輝度画素群を例えば十文字状の４本の光条（クロスライト）から成る小さな図形（小画像）に変換するように構成するものである。
所定の閾値以上の輝度レベルの画素が例えば６０個未満の場合には、被写体自体が高輝度の物体ではないと見なして小画像への変換は行わず、また、８０個を超える場合にも、そのような被写体は小さな光点ではなく何らかの大きな発光体であり、その原形を維持するために小画像への変換は行わないようにする。この設定は単なる一例であり、これとは異なった別の設定を行うことも勿論可能である。
【００１５】
上記の如き画像加工（デジタルフィルタ加工）を施すことにより、例えば図３に示すように、被写体である人物の背後に多数の十文字状の４本の光条（クロスライト）が上記小画像として形成されるものである。
この光条は、必ずしも４本の十文字状のものに限らず、画像加工用プログラム次第で、６本若しくは８本の光条のものや、更には、花模様、雪形、星形、ハート形のものなど、さまざまな形状の小さな光輝を多数表現するようにすることが可能であり、そのような画像をシールプリンタ３５によりシール用紙に印刷して提供することができる。
【００１６】
なお、カメラ３１，３２による撮影画像の背景部分に、上記高輝度画素群が或る程度多数形成されるようにするため、被写体（人物）の背後に、カーテンやブラインド又はボードなどを配置し、それらの素材にスパンコールやミラー等の多数の高反射率粒子を織り込み若しくは取り付けておくことも推奨される。そうすることにより、ハウジング内の照明や撮影時のストロボライト等の光がそれらの高反射率粒子で反射され、撮影画像中に上記高輝度画素群が或る程度多数形成され、これが前記画像処理によってクロスライトその他の小画像に変換されるため、背景中にこれらの小画像が散りばめられた幻想的でユニークな画像が得られるものである。
【００１７】
更にまた、上記画像編成回路３７に、ソフトフォーカス処理を施すプログラムを組み込み、撮影された画像中の少なくとも人物画像部分にソフトフォーカス処理を施すように構成することも推奨される。そうすることにより、一層ファンタスティックな画像効果が得られるものである。
【００１８】
次に、本発明の第２の形態のものにおいては、上記画像編成回路３７が、撮影された画像をクロマキーにより人物画像と背景画像を分離する手段と、背景画像を予め定めた演出効果画像に変換する手段と、上記演出効果画像からなる背景画像と、上記クロマキーにより分離された人物画像とを重畳合成して、ディスプレイ装置３３に表示させると共に、シールプリンタ３５によりシール用紙にプリントさせるように構成されている。
そのような演出効果画像としては、前記の如く、画面中の一点から放射するラジアルライト画像や、渦巻状のサイクロンライト画像、一方向に流れるストリームライト画像、シャワー状のオーロラライト画像、等々が好適に採用できる。
図４には、背景画像中の高輝度画素群を、画面中の一点から放射するラジアルライト画像に変換することにより得られた画像の一例が示されている。
この場合においても、人物画像部分にソフトフォーカス処理を施すように構成することが可能である。
【００１９】
次に、上記の如くして、カメラ３１，３２により撮影された画像を加工し、シール用紙にプリントして発行する構成を、図２を参照しつつ説明する。
画像編成回路３７は、画像編成のための一種のコンピューターを構成するものであり、演算装置（ＣＰＵ）３７１、クロック回路３７２、ＲＯＭ３７３、ＲＡＭ３７４、画像処理回路３７５、カメラ制御回路３７６，３７７、データバス３７８等々から構成され、必要に応じて大容量のハードディスク等が設けられる場合もある。また、画像処理回路３７５及びカメラ制御回路３７６，３７７以外の構成要素は、画像編成のため以外の作動、例えば料金徴収額の適否の判別とか、使用者へのアナウンスのためのサウンド回路への指令信号の授受等の作動、等々の制御も兼用して行うものである。
【００２０】
ＣＰＵ等から成る演算装置３７１は、プリントシール自動販売機全体の作動を統括制御するものであり、画像処理回路３７５やカメラ制御回路３７６，３７７の作動の制御もこの演算装置１からの指令に基づいて行なわれる。
クロック回路３７２は、演算装置１その他のハードウェアの作動のために必要なクロックパルスを発振する回路である。
ＲＯＭ３７３は、プリントシール自動販売機の作動に必要なすべてのデータを記録したＲＯＭであり、作動用プログラムのほか、画像データや音声データ等も記録されている。
ＲＡＭ３７４は、演算装置１の作動に必要なデータの授受を行なうＲＡＭである。
画像処理回路３７５は、演算装置１からの指令に従い、カメラ３１，３２で撮影した画像データに上記の画像加工を行い、更に、タッチペン３４でタッチパネル式ディスプレイ装置３３の画面上に書き込まれた文字や図形等を結合、編成して、ディスプレイ装置３３に表示すると共に、シールプリンタ３５によりプリントするための画像データの編成処理を行う回路である。
カメラ制御回路３７６，３７７は、カメラ３１，３２の撮影動作を制御すると共に、撮影された画像データをカメラ３１，３２から上記画像処理回路３７５へ送出する回路である。
データバス３７８は、上記の如き各回路要素間のデータの伝送を行う線路である。
【００２１】
本発明のプリントシール自動販売機における主要な機能、即ち、カメラ３１，３２により被写体等を撮影し、その撮影された画像の電子データを読み出し、記録し、背景部分について上記の如き画像処理を行うと共に、使用者によって書き込まれた文字等と合成して所望の画像データ信号を編成し、ディスプレイ装置に出力して、当該所望の画像を表示させると共に、シールプリンタに出力して、所望の画像をプリントし発行するという一連の作動は、上記ＲＯＭ３７３から読み出され、演算装置３７１や画像処理回路３７５にインストールされたコンピュータープログラムを、これら演算装置３７１、ＲＡＭ３７４、画像処理回路３７５等のハードウェア資源を用いて実行することによって実現されるものである。
【００２２】
本発明の上記第１の形態の画像加工を行うためのコンピュータープログラムは、撮影された画像中の予め定められた閾値以上の輝度レベルにある画素が所定数範囲で密集している高輝度画素群を認識するステップと、その高輝度画素群についてはこれを予め定めた小画像に変換するステップと、上記画像をディスプレイ装置に表示させると共に、シールプリンタによりシール用紙にプリントさせるステップと、を含むものである。
【００２３】
また、本発明の上記第２の形態の画像加工を行うためのコンピュータープログラムは、撮影された画像をクロマキーにより人物画像と背景画像を分離するステップと、背景画像を予め定めた演出効果画像に変換するステップと、上記演出効果画像からなる背景画像と、上記クロマキーにより分離された人物画像とを重畳合成して、ディスプレイ装置に表示させると共に、シールプリンタによりシール用紙にプリントさせるステップと、を含むものである。
【００２４】
なお、本発明は上記の実施例に限定されるものでなく、その目的の範囲内において上記の説明から当業者が容易に想到し得るすべての変更実施例を包摂するものである。
【００２５】
【発明の効果】
本発明は以上の如く構成されるから、本発明によるときは、デジタルフィルタ効果を利用することによって、これまでになく幻想的でユニークな背景画像を有するプリントシールを発行することができ、当該背景画像パターンのさまざまな変更も、画像加工用プログラムを適宜更新、追加、交換等することにより容易に可能なプリントシール自動販売機を提供し得るものである。
【図面の簡単な説明】
【図１】本発明に係るプリントシール自動販売機の一実施例の説明図である。
【図２】図１に示したプリントシール自動販売機の回路構成を示すブロック図である。
【図３】撮影した画像に本発明による加工処理を施した上で、シール用紙にプリントアウトした画像の一例を示す説明図である。
【図４】撮影した画像に本発明により更に別種の加工処理を施した上で、シール用紙にプリントアウトした画像の一例を示す説明図である。
【符号の説明】
１                ハウジング
１ａ      出入口
２          被写体スペース
３          シール作成販売機
３１          正面カメラ
３２      上部カメラ
３２１    フィルタ駆動装置
３３      タッチパネル式ディスプレイ装置装置
３３１    タッチパネル式撮影用操作部
３４      タッチペン
３５      シールプリンタ
３５１    プリントシール発行口
３６      料金徴収装置
３７      画像編成回路
３７１    演算装置（ＣＰＵ）
３７２    クロック回路
３７３    ＲＯＭ
３７４    ＲＡＭ
３７５    画像処理回路
３７６    正面カメラ制御回路
３７７    上部カメラ制御回路
３７８    データバス
３８１    サウンド回路
３８２    スピーカ
４  ａ，４ｂ  室内照明灯
【図１】
2005012464.tif 000003
【図２】
2005012464.tif 000004
【図３】
2005012464.tif 000005
【図４】
2005012464.tif 000006